(57)【要約】【課題】蓋を傾斜状態で保持していたときに外力が作用しても蓋の載置の状態が任意に変更することがなく、次に蓋を持つ際に持ち易い載置状態を維持できるような調理容器の蓋つまみを得る。【解決手段】本発明に係る調理容器の蓋つまみは、調理用容器の蓋に着脱可能に取り付けられる調理容器の蓋つまみ１であって、蓋を反転させて載置したときに蓋の支持部として機能し、支持部として機能するときに蓋の周縁部と共に載置面に接地して蓋を支持する接地部１５ｂを有し、接地部１５ｂが前記載置面に２点で接地し、蓋の周縁部の１点とで３点支持するように構成され、蓋つまみ１の上端面８の外縁部が蓋を３点支持している状態で支持点がずれたときに上記３点支持になるように蓋を案内するガイドとして機能することを特徴とするものである。【選択図】  図１
2009201876.tif 000002
【特許請求の範囲】
【請求項１】
調理用容器の蓋に着脱可能に取り付けられる調理容器の蓋つまみであって、前記蓋を反転させて載置したときに蓋の支持部として機能し、支持部として機能するときに前記蓋の周縁部と共に載置面に接地して蓋を支持する接地部を有し、該接地部が前記載置面に２点で接地し、前記蓋の周縁部の１点とで３点支持するように構成され、該３点支持している状態で支持点がずれたときに、前記蓋つまみにおける上端面の外縁部が前記３点支持になるように蓋を案内するガイドとして機能することを特徴とする調理容器の蓋つまみ。
【請求項２】
３点支持状態において蓋が現状の傾斜と反対方向に傾動するのを防止する傾動防止部を有することを特徴とする請求項１に記載の調理容器の蓋つまみ。
【請求項３】
調理用容器の蓋に着脱可能に取り付けられる調理容器の蓋つまみであって、前記蓋を反転させて載置したときに蓋の支持部として機能し、支持部として機能するときに前記蓋の周縁部と共に載置面に接地して蓋を支持する接地部を有し、該接地部が前記載置面に２点で接地し、前記蓋の周縁部の１点とで３点支持するように構成され、３点支持状態において蓋が現状の傾斜と反対方向に傾動するのを防止する傾動防止部を有することを特徴とする調理容器の蓋つまみ。
【請求項４】
蓋つまみは傾斜面に形成された上端面を有し、蓋つまみが該傾斜面の上側の上片部と下側の下片部に溝部によって分割されてなり、接地部が前記下片部に形成されると共に上片部が傾動防止部として機能するように構成されていることを特徴とする請求項３に記載の調理用器の蓋つまみ。
【請求項５】
蓋つまみの上端面の外縁部を結ぶ輪郭線が蓋つまみに形成された２点の接地部に向かって傾斜する傾斜円弧で形成されていることを特徴とする請求項１〜４のいずれか一項に記載の調理容器蓋つまみ。
【請求項６】
蓋つまみには、上端面から下方に凹む溝部が形成され、該溝部の底部の断面形状が先窄まりの円弧からなることを特徴とする請求項１〜５のいずれか一項に記載の調理容器蓋つまみ。
【請求項７】
調理用容器の蓋に着脱可能に取り付けられる調理容器の蓋つまみであって、前記蓋を反転させて載置したときに蓋の支持部として機能し、支持部として機能するときに載置面に接地する接地部が３点支持となり、かつ蓋を傾斜状態で浮かした状態で支持するように構成されていることを特徴とする調理容器の蓋つまみ。
【請求項８】
径の大きい蓋に取り付けた場合には、前記蓋の周縁部と共に載置面に２点で接地する接地部を有し、前記蓋の周縁部の１点とで３点支持するように構成されていることを特徴とする請求項７に記載の調理容器の蓋つまみ。
【請求項９】
蓋を反転させて載置した状態において蓋の傾斜方向を反対方向に変わっても３点支持となるように構成されていることを特徴とする請求項７または８に記載の調理用器の蓋つまみ。
【請求項１０】
蓋つまみは、取付状態において蓋の上方に立上る立上り部と、該立上り部の上部において外方に張り出す張出部と有してなり、該張出部の両側部が上方に湾曲して立上ることで全体形状が溝状になると共に、両縁部が、その中央部が盛り上がるように湾曲する曲線で形成されてなることを特徴とする請求項７〜９のいずれか一項に記載の調理容器の蓋つまみ。
【発明の詳細な説明】
【技術分野】
【０００１】
本発明は、調理用の鍋などの調理用容器に着脱可能に取り付けられる調理容器の蓋つまみに関する。
【背景技術】
【０００２】
調理容器の蓋つまみ、例えば鍋蓋のつまみについては、鍋蓋の持ち手として機能することに加えて、最近では鍋蓋を反転させて流し台などの上に置いた際に鍋蓋がつまみを支点にして転がるのを防止する機能を備えたものが提案されている。
このような機能を有する鍋蓋つまみを備えた調理容器用蓋として、例えば以下のようなものが提案されている。
【０００３】
有底筒型の調理容器を閉蓋する蓋体の頂面につまみを突設し、このつまみの上部水平方向に握り部を形成した蓋において、前記握り部の外周の外端部を結ぶ輪郭線を多角形とし、前記握り部に前記蓋反転接地状態の前記蓋の回転を規制する回転防止手段を有することを特徴とする調理容器用蓋（特許文献１の請求項１参照）。
【０００４】
また、鍋蓋つまみに要求される他の機能として、鍋蓋を反転させて置いた状態において、再び鍋蓋を持つ際に鍋蓋つまみを持ち易いということが挙げられる。
このように鍋蓋つまみを持ち易くするという要請に応えるものとして、鍋蓋つまみの先端を傾斜面にしてこの傾斜面を載置面に接地させるようにすることで、鍋蓋を安定に載置でき、かつ鍋蓋を反転させて置いた状態において、再び鍋蓋を持つ際に鍋蓋つまみを持ち易くしたものが提案されている（特許文献２参照）。
【特許文献１】実用新案登録３０５６０７９号公報
【特許文献２】実開昭５３−７１０５７号公報
【発明の開示】
【発明が解決しようとする課題】
【０００５】
特許文献１に記載のものは、握り部の外周の外端部を結ぶ輪郭線を多角形とし、この多角形の辺部または対向する角部を載置面に当接させて回転を規制するというものである。
しかしながら、多角形のある辺部で蓋体を支持していたとしても、多角形であるから支持辺が隣接する他の辺に移ることがあり、同一または所定の載置状態を保持することができない。
したがって、例えば特許文献１のものでは、調理用蓋を再び持つときに持ちやすい状態で反転載置していたとしても、その載置状態が容易に変わるため、次に鍋蓋を持つときに必ずしも持ち易い状態にあるとは限らない。
【０００６】
したがって、本発明の解決すべき課題の一つは、蓋を傾斜状態で保持していたときに外力が作用しても蓋の載置の状態が任意に変更することがなく、次に蓋を持つ際に持ち易い載置状態を維持できるような調理容器の蓋つまみを得ることにある。
【０００７】
特許文献２のものは、ある径の鍋蓋について取付けたときに傾斜面が全面で載置面に接地できるように前記傾斜面の傾斜角度が設定されている。そのため、ある径の鍋蓋に取り付けた場合には安定載置ができるとしても、同じつまみを他の径の鍋蓋に取り付けると傾斜面全面で載置面に接地できず、つまみの周縁で載置面に接地することになり、コロコロと転がることになる。
【０００８】
本発明の解決するべき他の課題は、鍋蓋の大きさが変わった場合であっても安定して反転載置ができるような調理用蓋つまみを得ることにある。
【課題を解決するための手段】
【０００９】
（１）本発明に係る調理容器の蓋つまみは、調理用容器の蓋に着脱可能に取り付けられる調理容器の蓋つまみであって、前記蓋を反転させて載置したときに蓋の支持部として機能し、支持部として機能するときに前記蓋の周縁部と共に載置面に接地して蓋を支持する接地部を有し、該接地部が前記載置面に２点で接地し、前記蓋の周縁部の１点とで３点支持するように構成され、該３点支持している状態で支持点がずれたときに、前記蓋つまみにおける上端面の外縁部が前記３点支持になるように蓋を案内するガイドとして機能することを特徴とするものである。
【００１０】
（２）また、上記（１）に記載のものにおいて、３点支持状態において蓋が現状の傾斜と反対方向に傾動するのを防止する傾動防止部を有することを特徴とするものである。
【００１１】
（３）本発明に係る調理容器の蓋つまみは、調理用容器の蓋に着脱可能に取り付けられる調理容器の蓋つまみであって、前記蓋を反転させて載置したときに蓋の支持部として機能し、支持部として機能するときに前記蓋の周縁部と共に載置面に接地して蓋を支持する接地部を有し、該接地部が前記載置面に２点で接地し、前記蓋の周縁部の１点とで３点支持するように構成され、３点支持状態において蓋が現状の傾斜と反対方向に傾動するのを防止する傾動防止部を有することを特徴とするものである。
【００１２】
（４）また、上記（３）に記載のものにおいて、蓋つまみは傾斜面に形成された上端面を有し、蓋つまみが該傾斜面の上側の上片部と下側の下片部に溝部によって分割されてなり、接地部が前記下片部に形成されると共に上片部が傾動防止部として機能するように構成されていることを特徴とするものである。
【００１３】
（５）また、上記（１）〜（４）のいずれかに記載のものにおいて、蓋つまみの上端面の外縁部を結ぶ輪郭線が蓋つまみに形成された２点の接地部に向かって傾斜する傾斜円弧で形成されていることを特徴とするものである。
【００１４】
（６）また、上記（１）〜（５）のいずれかに記載のものにおいて、蓋つまみには、上端面から下方に凹む溝部が形成され、該溝部の底部の断面形状が先窄まりの円弧からなることを特徴とするものである。
【００１５】
（７）本発明に係る調理容器の蓋つまみは、調理用容器の蓋に着脱可能に取り付けられる調理容器の蓋つまみであって、前記蓋を反転させて載置したときに蓋の支持部として機能し、支持部として機能するときに載置面に接地する接地部が３点支持となり、かつ蓋を傾斜状態で浮かした状態で支持するように構成されていることを特徴とするものである。
【００１６】
（８）また、上記（７）に記載のものにおいて、径の大きい蓋に取り付けた場合には、前記蓋の周縁部と共に載置面に２点で接地する接地部を有し、前記蓋の周縁部の１点とで３点支持するように構成されていることを特徴とするものである。
【００１７】
（９）また、上記（７）または（８）に記載のものにおいて、蓋を反転させて載置した状態において蓋の傾斜方向を反対方向に変わっても３点支持となるように構成されていることを特徴とするものである。
【００１８】
（１０）また、上記（７）〜（９）のいずれかに記載のものにおいて、蓋つまみは、取付状態において蓋の上方に立上る立上り部と、該立上り部の上部において外方に張り出す張出部と有してなり、該張出部の両側部が上方に湾曲して立上ることで全体形状が溝状になると共に、両縁部が、その中央部が盛り上がるように湾曲する曲線で形成されてなることを特徴とするものである。
なお、張出部の平面形状については、例えば葉っぱ状、ラグビーボール状、あるいは長丸状、楕円状、円形、矩形状など種々のものが想定だれ、本発明の作用を害さない限り特に限定されない。
【発明の効果】
【００１９】
本発明においては、蓋を反転させて載置したときに蓋の支持部として機能し、支持部として機能するときに前記蓋の周縁部と共に載置面に接地して蓋を支持する接地部を有し、該接地部が前記載置面に２点で接地し、前記蓋の周縁部の１点とで３点支持するように構成され、蓋つまみの上端面の外縁部が蓋を前記３点支持している状態で支持点がずれたときに上記３点支持になるように蓋を案内するガイドとして機能するようにしたので、蓋を傾斜状態で保持していたときに外力が作用しても蓋の載置の状態が任意に変更することがなく、次に蓋を持つ際に持ち易い載置状態を維持でき、また鍋蓋の大きさが変わった場合であっても安定して反転載置ができる。
【発明を実施するための最良の形態】
【００２０】
［実施の形態１］
図１は本発明の一実施の形態に係る調理容器蓋つまみ（以下単に「蓋つまみ」という。）の斜視図、図２は正面図、図３は背面図、図４は左側面図、図５は平面図、図６は底面図、図７は図５における矢視Ａ−Ａ断面図、図８は図５における矢視Ｂ−Ｂ断面図、図９は蓋つまみを取り付け対象となる調理用蓋（以下単に「蓋」という。）に取り付けた状態を説明する説明図である。
以下、図１〜図９に基づいて本実施の形態を詳細に説明する。
【００２１】
本実施の形態に係る蓋つまみ１は、図９に示すように、取付状態において蓋の上面側から上方に突出する本体部３と、本体部３を鍋蓋に着脱可能に取り付ける取付部材５とを備えている。そして、本体部３は、人が握る部分である握り部７と、握り部７と一体にスカート状に形成されてその下面が蓋の上面に当接するスカート部９とから構成されている。
【００２２】
＜握り部＞
握り部７は、上方に向かって末広がりの略円錐台形状をしており、その上端面８は全体が傾斜面になっていると共に周縁部が略円形になっている。そして、握り部７には、上端面８から下方に向けて凹陥する断面Ｕ字状の溝部１１が形成されている。そして、この溝部１１は菜箸などを載置する菜箸置きとしての機能を有する。
握り部７の上側略半分の部分は、溝部１１によって傾斜の上側の上片部１３と、傾斜の下側の下片部１５の２つの片部に分割されている。
また、上片部１３の上端面には２個の小円の凹陥部１６が形成されており、握り部７を上方から見ると、図１、図５に示されるように、凹陥部１６を目とし、溝部１１を口としたお化けのような顔になっている。
【００２３】
上片部１３と下片部１５の上端面は共に円弧状の外縁部１７を有すると共に傾斜面となっているが、それぞれの傾斜面には以下に示すような特徴がある。
下片部１５の傾斜面は、図２に示すように中央部１５ａが若干凹むように湾曲する湾曲面となっており、それ故に下片部１５の上端面はその両端部１５ｂが最も上方に突出している。
また、下片部１５の傾斜面の傾斜角度Ｄは、図１０に示すように、蓋の縁部接地点Ａと蓋つまみ１の接地点Ｂと蓋つまみ取付部の中心Ｃとで構成される三角形ＡＢＣを想定したときに、∠ＡＢＣの角度よりも小さくなるように設定されている。それ故に、蓋を図１０に示すように反転載置したときに、下片部１５における両端部１５ｂ以外が載置面に接地しないようになっている。
また、上片部１３は、図１０に示すように、蓋を反転載置したときに、下片部１５の両端部１５ｂの２点のみが接地するように、つまり上片部１３が接地しないようにその長さや傾斜角度が設定されている。
【００２４】
＜スカート部＞
スカート部９は、その上面側が握り部７の下端から外方に広がると共に緩やかに下方に傾斜する傾斜面を有している。スカート部９の下面側は、図７、図８に示すように、傾斜面となっており、その傾斜角度は中央部から外縁部９ａに掛けて急傾斜となり、外縁部９ａでごく緩やかな傾斜となっている。スカート部９の下面側中央には取付部材５の固定ネジ１９が螺入するネジ孔２１が設けられている。
なお、本実施の形態の本体部３においては、握り部７とスカート部９を一体に形成した例を示したが、これらを例えばスカート部９の上端位置で分割して形成してもよい。
【００２５】
＜取付部材＞
取付部材５は、スカート部９のネジ孔２１に螺合する固定ネジ１９と、座金２３と、座金２３と蓋との間に介装されるパッキン２５から構成されている。
【００２６】
＜取り付け構造＞
上記のように構成された蓋つまみ１は、図９に示すように、スカート部９を蓋２６の上面に当接させ、蓋２６の下面側に蓋２６を挟むようにして取付部材５を配置し、固定ネジ１９をねじ込むことで取り付けられる。
【００２７】
＜蓋つまみの作用＞
次に上記のように構成された蓋つまみ１の作用を説明する。
蓋つまみ１を取り付けた状態で反転載置した状態を図１１に示す。図１１に示されるように、反転載置状態では、蓋２６は、その縁部の１点と、蓋つまみ１における下片部１５の両端部１５ｂの２点の合計３点で支持されて全体が傾斜した状態で載置される。この状態では、蓋つまみ１側での支持が面ではなく２点の点支持であるため、仮に載置面に多少の凹凸があったとしても安定載置が可能である。
【００２８】
また、蓋つまみ１は径の異なる多種類の蓋に取り付けることが可能であり、図１１に示したものよりも径の大きな蓋２７に取り付けた場合を図１２に示す。図１２に示されるように、径の大きな蓋２７に取付けた場合であっても、蓋２７は図１１の場合と同様に３点支持となって安定載置される。
このように蓋つまみ１を径の異なる蓋に取り付けた場合であっても、下片部１５の２点と蓋の縁部の１点の合計３点支持となる。
この点、特許文献２に示されたツマミの場合には、蓋の径が大きくなった場合にはツマミ側の支持部は面ではなくツマミの上端面縁部の１点支持となり、コロコロと転がることになる。
これに対して本実施の形態の蓋つまみ１の場合には、蓋の径が変わった場合であっても特許文献２の場合のように蓋つまみ１側が１点支持となることがないので、常に安定した支持が可能である。
【００２９】
なお、反転載置状態においては、図１１に示すように、握り部７の上片部１３は載置面から浮いた状態となっているが、仮に蓋２６に矢印Ａで示す方向の外力すなわち蓋２６が現状の傾斜方向と反対の傾斜方向になるような外力が作用したときには、上片部１３の上端面（反転状態では下端面）が載置面に当接してこのような動きを規制するので、このような外力が作用しても蓋２６の傾斜方向が反対になるのを防止できる。すなわち、本実施の形態における上片部１３が本発明における傾動防止部として機能する。
【００３０】
図１１の載置状態において、蓋２６の縁に蓋２６を回転させるような力が作用した場合の動きを図１３（ａ）〜（ｄ）示す。このような力が作用した直後には、図１３（ａ）のように蓋つまみ１の外縁部１７の１点と蓋縁部の１点の２点で支持される状態になる。しかしながら、蓋つまみ１の上端周縁が、支持部となる両端部１５ｂ側に傾斜する傾斜円弧で形成されているので、蓋２６は図１３（ｂ）、（ｃ）に示すように順次回転して、結局図１１と同じ状態である図１３（ｄ）の状態に戻って安定載置される。
【００３１】
このように、本実施の形態の蓋つまみ１は、反転載置状態において蓋に対してその載置姿勢を変える外力が作用しても、最初の載置姿勢を保持し、また一旦動いても最初の載置姿勢に戻ることができる。そのため、例えば料理の最中に蓋を流し台の上に載置するときには、置いた蓋を再び持つ際に持ち易くするために手前側から蓋つまみ１に手を入れ易い状態、つまり図１１の左側が手前になる状態で載置すれば、上述のようにたとえこの状態を崩すような外力が作用しても同様の状態を保持できるので非常に便利である。
【００３２】
＜溝部＞
溝部１１は、その縦断面形状において下部先端側すなわち溝底側が先窄まりの円弧になるように形成されている。その結果、図１４に示すように、菜箸２９を溝部１１に載置したときに菜箸２９はその側面の２点が溝壁に当接してこの２点が支持部となって溝部１１内に載置される。それ故に安定した載置が可能になっている。
【００３３】
［実施の形態２］
図１５は本発明の他の実施の形態に係る調理容器蓋つまみ（以下、単に「蓋つまみ」という。）の斜視図、図１６は正面図、図１７は左側面図、図１８は右側面図、図１９は平面図、図２０は底面図、図２１は図１９における矢視Ｃ−Ｃ断面図、図２２は図１９における矢視Ｄ−Ｄ断面図である。
以下、図１５〜図２２に基づいて本実施の形態を詳細に説明する。
【００３４】
本実施の形態に係る蓋つまみ３１は、実施の形態１と同様に、取付状態において蓋上面の上方に突出する本体部３３と、本体部３３を蓋に取り付ける取付部材３５を備えている。そして、本体部３３は、人が握る部分である握り部３７と、握り部３７と分離可能に形成されて蓋の上面に当接するスカート部３９とから構成されている。
【００３５】
＜握り部＞
本実施の形態の握り部３７は、葉っぱの形状をモチーフにしたものであり、その形状を概説すると次のようなものである。葉っぱの中央を走る葉脈（主脈４１）を最下位として葉っぱの両側が全体に立上るように湾曲している（図１５、図１７、図１８参照）。そして、葉っぱの輪郭部４３は、葉っぱの基端部４３ａが湾曲の底部と同じレベルであり、基端部４３ａから徐々に盛り上がるように曲線で形成され、ほぼ中央部が最上部４３ｂとなっている。基端部４３ａから中央部までの曲線はごく緩やかなＳ字曲線となっている。そして、最上部４３ｂから葉っぱの先端部４３ｃにかけてもなだらかに傾斜する曲線となっており、この中央部から先端部４３ｃまでの曲線もごく緩やかなＳ字曲線となっている。なお、葉っぱの両側の輪郭部４３は同じ曲線で形成されている。
【００３６】
上記のような形状の握り部３７においては、主脈４１に沿う方向に図１７、図１８に示すように湾曲溝部４５が形成され、この湾曲溝部４５には菜箸が載置される。
なお、葉っぱの周縁部の下面側には空間４６が形成され、指を入れられるようになっている。また、葉っぱの下面中央部に円筒部４７が形成されている。そして、円筒部４７の下面縁部には、スカート部３９の上端部と嵌合する嵌合部４９が形成され、また円筒部４７下面側には、図２１、図２２に示すように、取付部材３５の固定ネジ５１が螺合するネジ孔５３が設けられている。
以上のような本実施の形態における握り部３７を本発明の構成と対応させると、円筒部４７が本発明の立上り部に相当し、葉っぱの形状の部分が本発明の張出部に相当する。
【００３７】
＜スカート部＞
スカート部３９は、握り部３７の円筒部４７に連続するように形成された円筒部５５と、この円筒部５５に連続して外方に広がると共に緩やかに下方に湾曲しながら傾斜する傾斜面部５７を有している。スカート部３９の下面側は、図２１、図２２に示すように、湾曲する傾斜面となっており、外縁部５８はごく緩やかな傾斜となっている。
スカート部３９の上端縁部には握り部３７の円筒部４７の下端縁と嵌合する嵌合部５９が形成されている。
【００３８】
＜取付部材＞
取付部材３５は、実施の形態１と同様の構成であり、握り部３７のネジ孔５３に螺合する固定ネジ５１と、座金６３と、座金６３と蓋との間に介装されるパッキン６５から構成されている。
【００３９】
＜取り付け構造＞
上記のように構成された蓋つまみ３１は、実施の形態１と同様に、スカート部３９を蓋の上面に当接させ、蓋の下面側に蓋を挟むようにして取付部材３５を配置し、固定ネジ５１をねじ込むことで取り付けられる。
【００４０】
＜蓋つまみの作用＞
次に上記のように構成された本実施の形態２の蓋つまみ３１の作用を説明する。
図２３は、蓋つまみ３１を蓋６７に取り付けた状態で反転載置した状態を示している。図２３に示されるように、反転載置状態では、蓋６７はその縁部が載置面に接地することなく浮き上がった状態となり、握り部３７における葉っぱの基端部４３ａの１点と輪郭部４３の２点で合計３点で全体が傾斜した状態で載置される。この状態では、蓋つまみ３１における支持部が面ではなく３点の点支持であるため、仮に載置面に多少の凹凸があったとしても安定載置が可能である。
【００４１】
また、本実施の形態における蓋つまみ３１での反転載置状態は図２３の状態から図２４に示す状態に移行することができる。図２４に示す状態とは、握り部３７における葉っぱの先端部４３ｃの１点と輪郭部４３の２点の合計３点で蓋６７全体が傾斜した状態で反転載置されている状態である。
【００４２】
また、蓋つまみ３１は径の異なる多種類の蓋に取り付けることが可能であり、図２５は、図２３に示したものよりも径の大きな蓋６９に取り付けた場合を示す。図２５に示されるように、径の大きな蓋６９に取付けた場合であっても、蓋６９は図２３の場合と同様に握り部３７での３点支持となって安定載置される。
このように本実施の形態の蓋つまみ３１の場合には、そもそも蓋の縁部が浮き上がった状態で蓋つまみ３１側だけでの３点支持であるので、取り付ける蓋の径の大小に拘わらず３点の支持が可能となる。
この点、特許文献２に示されたツマミの場合には、蓋の径が大きくなった場合にはツマミ側の支持部は面ではなくツマミの上端面縁部の１点支持となり、コロコロと転がることになる。
これに対して本実施の形態の蓋つまみ３１の場合には、蓋の径が変わった場合であっても特許文献２の場合のようにツマミ側が１点支持となることがないので、常に安定した支持が可能である。
【００４３】
蓋径が図２５に示すものよりもさらに大きくなった場合には蓋の縁が載置面に接地することになる。この状態では、図２５に示す状態において接地している葉っぱの基端部４３ａの１点が載置面から浮き上がり、結局、蓋の縁部の１点と葉っぱの輪郭部４３の２点の合計３点での支持となる。この状態は、実施の形態１と同様の状態であり、やはり安定した載置が可能である。
【００４４】
なお、反転載置状態において、仮に図２３に示すように、蓋６７に矢印Ｂで示す方向の外力すなわち蓋６７が現状の傾斜方向と反対の傾斜方向になるような外力が作用したときには、図２４に示す状態にその載置形態が移行して、安定的な載置が可能である。
【００４５】
また、図２３に示す載置状態において、蓋６７の縁に蓋６７を回転させるような力が作用した場合の動きについては、本実施の形態の握り部３７の上端面縁部が葉っぱの基端部４３ａまたは先端部４３ｃに向けて傾斜する円弧で形成されているので、実施の形態１の図１３（ａ）〜（ｄ）で説明したのとほぼ同様に順次回転して、図２３または図２４に示す状態になって安定載置される。
【００４６】
このように、本実施の形態の蓋つまみ３１は、反転載置状態において蓋に対してその載置姿勢を変える外力が作用しても、図２３または図２４に示す２態様の所定の載置姿勢を保持し、また一旦動いてもこの２態様のいずれかの載置姿勢に戻ることができる。そのため、例えば料理の最中に蓋を流し台の上に載置するときには、置いた蓋を再び持つ際に持ち易くするために蓋の左右いずれかから蓋つまみ３１に手を入れ易い状態、つまり図２３または図２４に示す状態で載置すれば、上述のようにたとえこの状態を崩すような外力が作用しても同様の状態を保持できるので非常に便利である。
【００４７】
＜湾曲溝部＞
湾曲溝部４５は、その縦断面形状において図１７、図１８に示すように、中央部が最も低くなった円弧になるように形成されている。その結果、図２６に示すように、菜箸７１を湾曲溝部４５に載置したときに各菜箸７１は、握り部３７の底面の１点と菜箸７１同士の接地点の１点の合計２点で支持されることになり、それ故に安定した載置が可能になっている。
【図面の簡単な説明】
【００４８】
【図１】本発明の実施の形態１に係る蓋つまみの斜視図である。
【図２】本発明の実施の形態１に係る蓋つまみの正面図である。
【図３】本発明の実施の形態１に係る蓋つまみの背面図である。
【図４】本発明の実施の形態１に係る蓋つまみの左側面図である。
【図５】本発明の実施の形態１に係る蓋つまみの平面図である。
【図６】本発明の実施の形態１に係る蓋つまみの底面図である。
【図７】図５の矢視Ａ−Ａ断面図である。
【図８】図５の矢視Ｂ−Ｂ断面図である。
【図９】本発明の実施の形態１に係る蓋つまみの取り付け状態の斜視図である。
【図１０】本発明の実施の形態１に係る蓋つまみの取り付け状態を説明する説明図である。
【図１１】本発明の実施の形態１に係る蓋つまみの取り付け状態を説明する説明図である。
【図１２】本発明の実施の形態１に係る蓋つまみの取り付け状態を説明する説明図である。
【図１３】本発明の実施の形態１に係る蓋つまみの作用を説明する説明図である。
【図１４】本発明の実施の形態１に係る蓋つまみの作用を説明する説明図である。
【図１５】本発明の実施の形態２に係る蓋つまみの斜視図である。
【図１６】本発明の実施の形態２に係る蓋つまみの正面図である。
【図１７】本発明の実施の形態３に係る蓋つまみの左側面図である。
【図１８】本発明の実施の形態４に係る蓋つまみの右側面図である。
【図１９】本発明の実施の形態５に係る蓋つまみの平面図である。
【図２０】本発明の実施の形態６に係る蓋つまみの底面図である。
【図２１】図１９の矢視Ｃ−Ｃ断面図である。
【図２２】図１９の矢視Ｄ−Ｄ断面図である。
【図２３】本発明の実施の形態２に係る蓋つまみの取り付け状態を説明する説明図である。
【図２４】本発明の実施の形態２に係る蓋つまみの取り付け状態を説明する説明図である。
【図２５】本発明の実施の形態２に係る蓋つまみの取り付け状態を説明する説明図である。
【図２６】本発明の実施の形態２に係る蓋つまみの作用を説明する説明図である。
【符号の説明】
【００４９】
１  蓋つまみ
３  本体部
５  取付部材
７  握り部
８  上端面
９  スカート部
９ａ  外縁部
１１  溝部
１３  上片部
１５  下片部
１５ａ  中央部
１５ｂ  両端部
１６  凹陥部
１７  外縁部
１９  固定ネジ
２１  ネジ孔
２３  座金
２５  パッキン
２６  蓋（径小）
２７  蓋（径大）
２９  菜箸
３１  蓋つまみ
３３  本体部
３５  取付部材
３７  握り部
３９  スカート部
４１  主脈
４３  輪郭部
４３ａ  基端部
４３ｂ  最上部
４３ｃ  先端部
４５  湾曲溝
４６  空間
４７  円筒部
４９  嵌合部
５１  固定ネジ
５３  ネジ孔
５５  円筒部
５７  傾斜面部
５８  外縁部
５９  嵌合部
６３  座金
６５  パッキン
６７  蓋（径小）
６９  蓋（径大）
７１  菜箸
【図１】
2009201876.tif 000003
【図２】
2009201876.tif 000004
【図３】
2009201876.tif 000005
【図４】
2009201876.tif 000006
【図５】
2009201876.tif 000007
【図６】
2009201876.tif 000008
【図７】
2009201876.tif 000009
【図８】
2009201876.tif 000010
【図９】
2009201876.tif 000011
【図１０】
2009201876.tif 000012
【図１１】
2009201876.tif 000013
【図１２】
2009201876.tif 000014
【図１３】
2009201876.tif 000015
【図１４】
2009201876.tif 000016
【図１５】
2009201876.tif 000017
【図１６】
2009201876.tif 000018
【図１７】
2009201876.tif 000019
【図１８】
2009201876.tif 000020
【図１９】
2009201876.tif 000021
【図２０】
2009201876.tif 000022
【図２１】
2009201876.tif 000023
【図２２】
2009201876.tif 000024
【図２３】
2009201876.tif 000025
【図２４】
2009201876.tif 000026
【図２５】
2009201876.tif 000027
【図２６】
2009201876.tif 000028